(57)【要約】【課題】  ケーブルコネクタに関し、ソケットに対する挿抜操作を容易にする。【解決手段】  ソケット３１の挿入穴３２に挿入して、このソケット３１の接点と弾性接触する接点を有するケーブルコネクタ１であって、コネクタ本体５に対してスライド可能に取り付けた弾性操作片３を有し、この弾性操作片３は、ソケット３１の挿入穴３２の上面の係止部と係合する係止突部４と、この係止突部４から延長した弾性操作上片と、この弾性操作上片から延長して折り返した状態の弾性操作下片と、この弾性操作下片の先端側を折り曲げた係止部とを有し、この係止部を、コネクタ本体５の係止突部と係合させて、ケーブルコネクタ１をソケット３１側に挿入してロック状態とし、再度押し込むのとにより、アンロック状態とする。【選択図】        図１
2006260881.tif 000002
【特許請求の範囲】
【請求項１】
ソケットの挿入穴に挿入して該ソケットの接点と弾性接触する接点を有するケーブルコネクタに於いて、
コネクタ本体に対してスライド可能に取り付けた弾性操作片を有し、該弾性操作片は、前記ソケットの挿入穴の上面の係止部と係合する係止突部と、該係止突部から延長した弾性操作上片と、該弾性操作上片から延長して折り返した状態の弾性操作下片と、該弾性操作下片の先端側を折り曲げた係止部とを有し、該係止部を前記コネクタ本体の係止突部と係合させた構成を備えた
ことを特徴とするケーブルコネクタ。
【請求項２】
前記弾性操作片は、基部と、該基部の両側に突出させて前記コネクタ本体の案内溝に挿入する取り付け部と、前記基部から延長した係止突部と、該係止突部から延長した弾性操作上片と、該弾性操作上片を延長して折り返した状態の弾性操作下片と、該弾性操作下片の先端側を折り曲げた係止部とを有し、該係止部を前記コネクタ本体の係止突部と係合させた構成を有することを特徴とする請求項１記載のケーブルコネクタ。
【請求項３】
前記コネクタ本体にスライド可能に取り付けた前記弾性操作片の基部の先端を、前記コネクタ本体の先端より少なくとも前記スライド可能の長さを突出するように構成したことを特徴とする請求項１記載のケーブルコネクタ。
【請求項４】
前記弾性操作片の前記弾性操作下片を他の部分と異なる色に着色した構成を有することを特徴とする前記請求項１〜３の何れか１項記載のケーブルコネクタ。
【発明の詳細な説明】
【技術分野】
【０００１】
本発明は、挿抜操作を容易にしたケーブルコネクタに関する。
【背景技術】
【０００２】
ＬＡＮ（ローカルエリアネットワーク）等に於けるケーブル配線は、そのケーブルの先端に接続したケーブルコネクタを、ハブ等のソケットに挿入することにより行う構成が一般的である。その場合に、ケーブルコネクタをソケットに挿入すると、相互の接点間が弾性接触により電気的に接続されると共に、ケーブルコネクタがソケットから抜け出さないようにロックされる。このロックの機構は、コネクタの外側に設けた弾性操作片の一部の係止突部が、ソケット側ハウジングの内面の係止部と係合することにより、コネクタが抜けないロック状態となり、又コネクタの弾性操作片を押し下げると、その弾性操作片の係止突部と、ソケット側ハウジングの内面の係止部との係合が外れて、コネクタを抜き取ることができるアンロック状態となる。
【０００３】
図５は、従来例のケーブルコネクタの説明図であり、（Ａ）はケーブルコネクタをソケットに挿入した状態の斜視図、（Ｂ）はケーブルコネクタの斜視図を示す。同図に於いて、５１はケーブルコネクタ、５２はケーブル、５３は弾性操作片、５４は係止突部、５５は接点の延長部、６１はソケット、６２が挿入穴を示し、同図の（Ａ）に於いては、２個のケーブルコネクタを挿入できるソケット６１を示し、その中の１個の挿入穴６２にケーブルコネクタ５１を挿入した状態を示す。なお、接点数は、例えば、電話ケーブルの場合、２個又は４個であり、ＬＡＮケーブルの場合は、８個である。
【０００４】
ケーブルコネクタ５１は、合成樹脂により弾性操作片５３と一体成型されており、その弾性操作片５３の一部の両側には幅を広くした係止突部５４が形成されている。この係止突部５４は、ソケット６１の挿入穴６２にケーブルコネクタ５１を挿入し、そのケーブルコネクタ５１の接点とソケット６１の挿入穴６２内の接点とが弾性接触した状態で、ソケット６１の挿入穴６２内の上面に形成さている係止部（図示せず）と、弾性操作片５３の係止突部５４とが係合してロックされる。このロック状態に於いて、弾性操作片５３の自由端側を押し下げると、弾性操作片５３の係止突部５４と、ソケット６１の挿入穴６２の上面の係止部との係合が外れて、ケーブルコネクタ５１を抜き取ることができる。
【０００５】
又ソケットにケーブルコネクタを挿入し、一方の突部と他方の穴部との弾性的係合によりロック状態とし、引き抜きタブを有するロック解除部材を引っ張ると、ロック状態としている穴部を持ち上げることになって、一方の突部と他方の穴部との係合が外れてアンロック状態とする構成のケーブルコネクタが知られている（例えば、特許文献１参照）。
【特許文献１】特開２００１−１５２１２号公報
【発明の開示】
【発明が解決しようとする課題】
【０００６】
従来のケーブルコネクタ５１は、ロック状態を解除してソケット６１から抜く場合に、弾性操作片５３を押し下げる必要があり、その為に、少なくとも指の先端側で押し下げ操作の空間を必要とするものである。しかし、ハブ等の各種の通信装置は複雑な構成となると共に、小型化を図る必要があり、複数のケーブルを接続する場合に、ソケット６１についても上下左右の位置に密接配置されることになる。このような配置構成のソケット６１にケーブルコネクタ５１を挿入する場合、ケーブル５２がＬＡＮケーブルのように比較的太い場合は、そのケーブル５２を持って、その先端のケーブルコネクタ５１をソケット６１に挿入することが可能であるとしても、そのケーブルコネクタ５１を抜く時に、ケーブル５２をかき分けて、指の先端側で弾性操作片５３を押し下げる必要があり、更に、指の先端側の挿入スペースも無いような高密度実装構成とすると、ドライバ等の工具の先端により弾性操作片５３を押し下げて、ケーブルコネクタ５１をソケット６１から抜き取ることになる。即ち、挿抜の操作性が悪い問題がある。又前述の特許文献１に示されているようなケーブルコネクタは、非常に複雑な構成となり、現状のＬＡＮケーブルコネクタやモジュラージャック等のケーブルコネクタには、機構的にも又コスト的にも適用することができないものである。
【０００７】
本発明は、前述の従来の問題点を解決するものであり、比較的簡単な構成により挿抜操作を容易とすることを目的とする。
【課題を解決するための手段】
【０００８】
本発明のケーブルコネクタは、ソケットの挿入穴に挿入して該ソケットの接点と弾性接触する接点を有するケーブルコネクタに於いて、コネクタ本体に対してスライド可能に取り付けた弾性操作片を有し、該弾性操作片は、前記ソケットの挿入穴の上面の係止部と係合する係止突部と、該係止突部から延長した弾性操作上片と、該弾性操作上片から延長して折り返した状態の弾性操作下片と、該弾性操作下片の先端側を折り曲げた係止部とを有し、該係止部を前記コネクタ本体の係止突部と係合させた構成を備えている。
【０００９】
又前記弾性操作片は、基部と、該基部の両側に突出させて前記コネクタ本体の案内溝に挿入する取り付け部と、前記基部から延長した係止突部と、該係止突部から延長した弾性操作上片と、該弾性操作上片を延長して折り返した状態の弾性操作下片と、該弾性操作下片の先端側を折り曲げた係止部とを有し、該係止部を前記コネクタ本体の係止突部と係合させた構成を有する。
【００１０】
又前記コネクタ本体にスライド可能に取り付けた前記弾性操作片の基部の先端を、前記コネクタ本体の先端より少なくとも前記スライド可能の長さを突出する構成を有する。
【００１１】
又前記弾性操作片の前記弾性操作下片を他の部分と異なる色に着色した構成を有する。
【発明の効果】
【００１２】
ケーブルコネクタをソケットに挿入してロック状態とした後、ケーブルコネクタ又はそのケーブルをソケット側に押すだけでアンロック状態とすることができるから、高密度実装のソケットに対しても、ケーブルコネクタの挿抜操作が容易となる利点がある。又弾性操作下片に着色することにより、ロック状態かアンロック状態かを容易に識別できる利点がある。
【発明を実施するための最良の形態】
【００１３】
本発明のケーブルコネクタは、図１を参照して説明すると、ソケット３１の挿入穴３２に挿入して、このソケット３１の接点と弾性接触する接点を有するケーブルコネクタ１であって、コネクタ本体５に対してスライド可能に取り付けた弾性操作片３を有し、この弾性操作片３は、ソケット３１の挿入穴３２の上面の係止部と係合する係止突部４と、この係止突部４から延長した弾性操作上片と、この弾性操作上片から延長して折り返した状態の弾性操作下片と、この弾性操作下片の先端側を折り曲げた係止部とを有し、この係止部を、コネクタ本体５の係止突部と係合させた構成を有するものである。
【実施例１】
【００１４】
図１は、本発明の実施例１の斜視図であり、ケーブルコネクタ１をソケット３１の挿入穴３２に挿入し、そのソケット３１の一部を欠裁した状態を示す。同図に於いて、２はケーブル、３は弾性操作片、４は係止突部、５はコネクタ本体を示す。このケーブルコネクタ１は、弾性操作片３とコネクタ本体５とを別体構成とすると共に、コネクタ本体５に対して弾性操作片３を僅かな距離をスライド可能に構成している。このケーブルコネクタ１をソケット３１の挿入穴３２に挿入することにより、弾性操作片３の係止突部４と、ソケット３１の挿入穴３２の上面の係止部と係合してロック状態となる。又ケーブルコネクタ１又はケーブル２をソケット３１側に押し込むと、コネクタ本体５にスライド可能の弾性操作片３の先端側を押し下げた状態となり、アンロック状態とすることができ、従って、指等により弾性操作片３を押し下げることなく、ケーブルコネクタ１をソケット３１から抜き取ることができる。又ソケット３１は横に２個併設した場合を示すが、上下左右に配置した構成に対しても適用することができる。
【００１５】
図２は、弾性操作片３の説明図であり、（Ａ）は斜め上からの斜視図、（Ｂ）は斜め下からの斜視図を示す。同図に於いて、４は係止突部、６は弾性操作上片、７は弾性操作下片、８は折り曲げ係止部、９は基部、１０はコネクタ本体５に対する取り付け部、１１は係止突部を示す。弾性操作片３の取り付け部１０は、基部９の両側から突出した構成とし、又両側の係止突部４の真中の位置から延長した弾性操作上片６と、その先端側から延長して折り返した弾性操作下片７と、その先端側を下方向に折り曲げた係止部８とを含むものであり、係止突部４は、弾性操作上片６の幅より広い幅として、その先端側が、ソケット３１の図示を省略している係止部に係合するものであり、弾性操作片３は、合成樹脂又は弾性金属材料による一体成型によって構成することも可能である。或いは、一部を別体として接着等により一体化することも可能である。
【００１６】
図３は、コネクタ本体５の説明図であり、（Ａ）は要部斜視図、（Ｂ）は水平面に沿った断面図で、（Ａ）の矢印ａ方向から見た断面図、（Ｃ）は要部拡大図を示し、２１は係止突部、２２は案内溝、２３は凹部を示す。なお、接点やケーブルは図示を省略している。このコネクタ本体５の案内溝２２に、弾性操作片３の取り付け部１０を挿入し、案内溝２２の凹部２３と取り付け部１０の係止突部１１とが比較的緩く係合して、コネクタ本体５に弾性操作片３を取り付け、且つ係止突部２１に折り曲げ係止部８を係合する。この場合の弾性操作片３とコネクタ本体５とは、前述のようにスライド可能の構成で組み立てるものであり、案内溝２２に沿って取り付け部１０が案内されることにより、僅かの距離を移動可能となり、且つ案内溝２２の凹部２３と取り付け部１０の係止突部１１との係合により、コネクタ本体５から弾性操作片３が抜け落ちない構造となる。従って、ケーブルコネクタ１としては、従来例のケーブルコネクタと略同様な外観となる。
【００１７】
図４は、ケーブルコネクタの挿抜操作の説明図であり、（Ａ）はロック状態、（Ｂ）はアンロック状態、（Ｃ）は要部の拡大図を示す。ソケット３１の挿入穴にケーブルコネクタ１を挿入すると、図４の（Ａ）に示すように、弾性操作片３の基部９の端面が、コネクタ本体５の端面より僅か突出するように、且つ前述のように弾性操作片３は、コネクタ本体５に対してスライド可能に設けられており、弾性操作片３の係止突部４が、ソケット３１の挿入穴の上面の係止部と係合することによりロック状態となる。このソケット３１の係止部は、例えば、弾性操作上片６を挿入できる幅の所定の長さの挿入口側の溝と、更に奥の方向に係止突部４を挿入できる幅の内側の溝とを形成して、係止突部４がこの内側の溝内に挿入されると、挿入口側の溝より係止されてロック状態となり、このロック常態から、弾性操作片３を押し下げると、係止突部４がソケット３１の挿入穴の上面の内側の溝内から外れるので、アンロック状態となる。
【００１８】
このロック状態に於いては、ケーブルコネクタ１の先端側とソケット３１の挿入穴の端面との間には、前述のように、コネクタ本体５の端面より弾性操作片３の基部９の端面が僅かであるが突出しており、従って、コネクタ本体５の端面と、ソケット３１の挿入穴の端面との間に空隙が存在する。そこで、このロック状態から、ケーブル２又はコネクタ１を矢印ａの方向、即ち、ソケット３１側に押し込むと、コネクタ本体５の端面と、ソケット３１の挿入穴の端面とが接触する状態となり、拡大して示す（Ｃ）に於ける矢印ｂ方向に、弾性操作片３の基部９が押されることになる。それにより、弾性操作片３の基部９から突出するように形成した取り付け部１０が、コネクタ本体５の案内溝２２により案内されて移動する。この時、弾性操作片３の折り曲げ係止部８が、コネクタ本体５の係止突部２１により移動を阻止されるから、弾性操作上片６と弾性操作下片７とは、矢印ｃで示すように下方向に湾曲する。即ち、弾性操作片３を下方向に押した状態となり、係止突部４は、ソケット３１の挿入穴の上面から離れて、アンロック状態となる。従って、ケーブルコネクタ１をソケット３１から抜き取ることができる。
【００１９】
又ロック状態に於いては、弾性操作片３は、図４の（Ａ）に示すように上側に反っている状態であり、アンロック状態に於いては、図４の（Ｂ）に示すようにコネクタ本体５に近づいた状態であるから、弾性操作下片７に他の部分と異なる色に着色することにより、ケーブルコネクタ１のロック状態では、その色を識別でき、又アンロック状態では、その着色部分は、コネクタ本体５側に近接するから、その色を観測することができない。即ち、ロック状態とアンロック状態とを簡単に識別可能の構成とすることができる。
【図面の簡単な説明】
【００２０】
【図１】本発明の実施例１の斜視図である。
【図２】弾性操作片の説明図である。
【図３】コネクタ本体の説明図である。
【図４】ケーブルコネクタの挿抜操作説明図である。
【図５】従来例の説明図である。
【符号の説明】
【００２１】
１    ケーブルコネクタ
２    ケーブル
３    弾性操作片
４    係止突部
５    コネクタ本体
６    弾性操作上片
７    弾性操作下片
８    折り曲げ係止部
９    基部
１０  取り付け部
１１  係止突部
２１  係止突部
２２  案内溝
２３  凹部
３１  ソケット
３２  挿入穴
【図１】
2006260881.tif 000003
【図２】
2006260881.tif 000004
【図３】
2006260881.tif 000005
【図４】
2006260881.tif 000006
【図５】
2006260881.tif 000007